(57)【要約】      （修正有）【課題】複数個の被保持体の携帯や腹囲等を計測するためのメジャーとして使用勝手のよいネックストラップを提供することを目的とする。【解決手段】目盛りが付されたストラップ２と、ストラップ２の一端部に装着された挿通子３と、ストラップ２の他端部２ｂ側に装着されたリング１０と、リング１０に装着されて携帯電話機１３等を着脱自在に保持する複数個のチャック部１１,１２を有する。ストラップ２の他端部２ｂ側を挿通子３にスライド自在に挿入してリング１０の反対側にストラップ２のループ部Ａを形成し、またストラップ２の他端部２ｂの先端とループ部Ａに着脱自在に連結される連結子４,５を設ける。連結子４,５を連結することによりストラップ２により人の首に掛けられる大ループ部を形成するようにし、連結子４,５を分離させて挿通子３をリング１０の反対側にスライドさせることによりストラップ２を引き伸ばして、ストラップ２を人体の腹囲を測定するメジャーとして使用できるようにした。【選択図】図１
0003141020.tif 000002
【実用新案登録請求の範囲】
【請求項１】
目盛りが付されたストラップと、ストラップの一端部に装着された挿通子と、ストラップの他端部側に装着されたリングと、このリングに装着されて社員証カードや携帯電話機などの被保持体を着脱自在に保持する複数個のチャック部とを有し、ストラップの他端部側を前記挿通子にスライド自在に挿入して前記リングの反対側にストラップのループ部を形成し、またストラップの前記他端部の先端と前記ループ部に互いに着脱自在に連結される連結子を設け、この連結子同士を連結することによりストラップにより人の首に掛けられる大ループを形成するようにし、また前記連結子を分離させて前記挿通子を前記リングの反対側にスライドさせることによりストラップを引き伸ばして、ストラップを人体の腹囲等を測定するメジャーとして使用できるようにしたことを特徴とするネックストラップ。
【考案の詳細な説明】
【技術分野】
【０００１】
本考案は、社員証カードや携帯電話機などの被保持体を首掛けして携帯でき、またメジャーとしても使用できる使用勝手のよいネックストラップに関するものである。
【背景技術】
【０００２】
従来より、携帯電話機などを手などに吊り下げて持ち歩くためにストラップが用いられている。またストラップに目盛りを付することにより、メジャーとしても使用できるようにしたものが知られている。また近年、メタボリック症候群の基準値（男子８５ｃｍ、女子９０ｃｍ）が定められたことから、メジャーの８５ｃｍ及び９０ｃｍの位置にその旨印字するなどして表示することが行われている（例えば特許文献１、２）。
【特許文献１】実用新案登録第３０７８３３１号公報
【特許文献２】実用新案登録第３１０００８６号公報
【考案の開示】
【考案が解決しようとする課題】
【０００３】
しかしながら従来のストラップは、必ずしも使用勝手のよいものではなかった。例えば、ストラップを首掛けするネックストラップとして使用する場合には、複数個の被保持体を携帯できるようにすることが望ましく、またメジャーとしても手軽に使用できるようにすることが望ましいが、従来のストラップは必ずしもこのような多用途のネックストラップとしては使用勝手のよいものではなかった。
【０００４】
そこで本考案は、複数個の被保持体の携帯や腹囲等を計測するためのメジャーとして使用勝手のよいネックストラップを提供することを目的とする。
【課題を解決するための手段】
【０００５】
本考案のネックストラップは、目盛りが付されたストラップと、ストラップの一端部に装着された挿通子と、ストラップの他端部側に装着されたリングと、このリングに装着されて社員証カードや携帯電話機などの被保持体を着脱自在に保持する複数個のチャック部とを有し、ストラップの他端部側を前記挿通子にスライド自在に挿入して前記リングの反対側にストラップのループ部を形成し、またストラップの前記他端部の先端と前記ループ部に互いに着脱自在に連結される連結子を設け、この連結子同士を連結することによりストラップにより人の首に掛けられる大ループを形成するようにし、また前記連結子を分離させて前記挿通子を前記リングの反対側にスライドさせることによりストラップを引き伸ばして、ストラップを人体の腹囲等を測定するメジャーとして使用できるようにしたものである。
【考案の効果】
【０００６】
本考案によれば、ネックストラップとして使用するときは、連結子同士を連結して大ループを形成し、この大ループを首に掛けてリングに複数個の被保持体を携帯する。また腹囲等を計測するためにメジャーとして使用するときは、連結子を分離して挿通子をリングの反対側へスライドさせて長尺のメジャーとする。したがって本考案によれば、複数個の被保持体を保持するためのネックストラップや、腹囲等を測定するためのメジャーとして手軽に使い分けして使用することができる。
【考案を実施するための最良の形態】
【０００７】
図１は本考案の一実施例におけるネックストラップの斜視図、図２は同首掛けして使用中のネックストラップの正面図、図３は同メジャーとして使用する状態のネックストラップの正面図である。
【０００８】
図１において、ネックストラップ１は、長尺のストラップ２を主体としている。ストラップ２の一方の面には、メジャーとして使用できるようにｃｍの目盛りが付されている。目盛りのメタボリック症候群の基準値（男子８５ｃｍ、女子９０ｃｍ）には、その旨数字（８５、９０）を付して表示されている（図３を参照）。
【０００９】
図１において、ストラップ２の一端部２ａには挿通子３が装着されている。ストラップの他端部２ｂ側は挿通子３にスライド自在（矢印ａ参照）に挿通され、その先端には雌型の第１の連結子４が装着されている。連結子４には断面円弧の雌部４ａが形成されている。
【００１０】
ストラップ２の他端部２ｂを挿通子３に挿通したことにより、図１において挿通子３の右側はストラップ２のループ部Ａになっている。ループ部Ａには雄型の第２の連結子５がストラップ２に沿ってスライド自在（矢印ｂ）に装着されている。第２の連結子５は棒体５ａを有している。この棒体５ａは、雌型の第１の連結子４の雌部４ａに弾性的に着脱自在に嵌着できるようになっている。このように、第１の連結子４と第２の連結子５は、互いに着脱自在に連結される。
【００１１】
図１において、ストラップ２の他端部２ｂ側は、リング１０を抱き込むように折り返されており、折り返し部はミシン糸６により縫合されている。そしてこの折り返された他端部２ｂの先端に前記第１の連結子４が装着されている。またこのリング１０には、複数個のチャック部（本例では第１のチャック部１１と第２のチャック部１２）が係着されている。第１のチャック部１１と第２のチャック部１２は公知のものである。第１のチャック部１１の下端部には、糸状子１１ａがループ状に取り付けられている。
【００１２】
第１のチャック部１１の糸状子１１ａは、携帯電話機１３の被係着部１３ａに挿通するなどして係着される。また第２のチャック部１２は、社員証カード１４の端部に穿孔された孔部１４ａをチャックするなどして保持する。社員証カード１４は、社員が会社内や工場内などで保持して、各室の入口ドアなどで身分証明等として使用するものである。チャック部の個数は任意であり、また携帯電話機１３や社員証カード１４などの被保持体の種類や個数も任意である。
【００１３】
図２は、ネックストラップ１を首に掛けて懸吊使用している状態を示している。この場合、第１の連結子４と第２の連結子５は連結されて大ループ部Ｂが形成されており、使用者はこの大ループ部Ｂを首に掛けて携行する。
【００１４】
図３は、ネックストラップ１をメジャーとして使用する状態を示している。この場合、第１の連結子４と第２の連結子５を互いに分離させ、挿通子３をリング１０と反対側（図１において右方であって、第２の連結子５方向）へスライドさせ（矢印ｃ）、ストラップ２を引き伸ばす。これにより、ストラップ２を長く引き伸ばし、腹囲等を測定するメジャーとして使用できる。
【産業上の利用可能性】
【００１５】
本考案によれば、ネックストラップとして使用するときは、連結子同士を連結して大ループを形成し、この大ループを首に掛けてリングに複数個の被保持体を携帯する。また腹囲等を計測するためにメジャーとして使用するときは、連結子を分離して挿通子をリングの反対側へスライドさせて長尺のメジャーとする。したがって本考案によれば、複数個の被保持体を保持するためのネックストラップや腹囲等を測定するためのメジャーとして手軽に使い分けして使用することができる。
【図面の簡単な説明】
【００１６】
【図１】本考案の一実施例におけるネックストラップの斜視図
【図２】本考案の一実施例における首掛けして使用中のネックストラップの正面図
【図３】本考案の一実施例におけるメジャーとして使用する状態のネックストラップの正面図
【符号の説明】
【００１７】
１  ネックストラップ
２  ストラップ
３  挿通子
４  第１の連結子
５  第２の連結子
１０  リング
１１  第１のチャック部
１２  第２のチャック部
１３  携帯電話機
１４  社員証カード
Ａ  ループ部
Ｂ  大ループ部
【図１】
0003141020.tif 000003
【図２】
0003141020.tif 000004
【図３】
0003141020.tif 000005